(57)【要約】      （修正有）【課題】見栄えが良く、紛失の懸念がなく、体を屈めたり、或いは座ったりすることなく、立ったまま履くことができる靴べら機能付き靴を提供する。【解決手段】踵周囲を覆う踵部５と、この踵部５から連続して足の左右を覆う外側壁及び内側壁と、この外側壁及び内側壁に連続して足先部分を覆う甲被８を有し、前記踵部５、外側壁及び内側壁及び甲被８により囲まれた履き口２から足１０を差し込む靴であって、前記踵部５の上方に、斜め後ろに延びる踵案内部５１が連続して設けられている。【選択図】図２
0003195071.tif 000002
【実用新案登録請求の範囲】
【請求項１】
踵周囲を覆う踵部と、この踵部から連続して足の左右を覆う外側壁及び内側壁と、この外側壁及び内側壁に連続して足先部分を覆う甲被を有し、前記踵部、外側壁及び内側壁及び甲被により囲まれた履き口から足を差し込む靴であって、前記踵部の上方に、斜め後ろに延びる踵案内部が連続して設けられていることを特徴とする靴べら機能付き靴。
【請求項２】
前記踵部及び踵案内部に芯材が内包されていることを特徴とする請求項１に記載の靴べら機能付き靴。
【請求項３】
前記踵部及び踵案内部の芯材は樹脂で一体に形成されていることを特徴とする請求項２に記載の靴べら機能付き靴。
【考案の詳細な説明】
【技術分野】
【０００１】
この考案は、靴べらを使わずに靴を履くことができる靴べら機能付き靴に関するものである。
【背景技術】
【０００２】
革製の紳士靴や婦人靴、仕事用の安全靴、布やゴム製のカジュアル靴、運動靴等で靴べらを必要とするのは、靴の踵部を押さえつつ、滑りを利用して足を簡単に靴の中へ入れることができるからである。
【０００３】
しかしながら、人が靴べらを用いて靴を履くときには、身体を屈めたり、或いは座ったりする動作を伴うので、億劫である。このため、急ぐときなどには靴べらを使用せずに、無理に足を入れて履いたり、靴の踵部を足の踵で押しつぶしたまま、足の先だけを入れて歩行し、それにより靴を傷めることが多い。
【０００４】
そこで、体を屈めたり、或いは座ったりすることなく、立ったまま履くことができる靴べら機能付きの靴が種々提案されている。例えば、特許文献１には、逆Ｕの字状棒体であって、逆Ｕ字上部に傾斜を有する踵部滑り部と、それぞれの先端に爪付支え部位を設けた湾曲した２本の支柱とからなる靴べら機能付与器具が提案されている。
【０００５】
特許文献２には、下端が靴底に当たって接し、中間部は足の踵の後面に接する球面状をなし、上部は後方に傾斜し、上端部はなめらかな曲面で、靴の踵の内面に取り付ける靴べらが提案されている。
【先行技術文献】
【特許文献】
【０００６】
【特許文献１】特開２０１３−１４６５１４号公報
【特許文献２】特開２００４−３４４３９６号公報
【考案の概要】
【考案が解決しようとする課題】
【０００７】
上記した特許文献１のものでは、靴とは別に靴べら機能付与器具を用意し、靴に装着するため、その装着が煩わしく、また、靴べら機能付与器具を紛失するという懸念がある。
【０００８】
また、特許文献２のものは、靴の踵部に靴べらを別途取り付けるため、見栄えが良くないという難点がある。
【０００９】
この考案は、見栄えが良く、紛失の懸念がなく、体を屈めたり、或いは座ったりすることなく、立ったまま履くことができる靴べら機能付き靴を提供することを課題とする。
【課題を解決するための手段】
【００１０】
この考案は、踵周囲を覆う踵部と、この踵部から連続して足の左右を覆う外側壁及び内側壁と、この外側壁及び内側壁に連続して足先部分を覆う甲被を有し、前記踵部、外側壁及び内側壁及び甲被により囲まれた履き口から足を差し込む靴であって、前記踵部の上方に、斜め後ろに延びる踵案内部が連続して設けられていることを特徴とする。
【００１１】
前記踵部及び踵案内部に芯材が内包され、前記踵部及び踵案内部の芯材は樹脂で一体に形成するとよい。
【考案の効果】
【００１２】
この考案は、足の爪先を履き口から靴の中へ入れ、爪先を靴の先の方へ移動させると、踵案内部に足の踵が当接して踵が案内され、足が靴の中にスムーズに差し入れることができる。
【００１３】
この踵部と踵案内部とは、連続して設けられているので、踵部と一体となり、デザイン性にも優れた靴べら機能を踵部に持たせることができる。
【図面の簡単な説明】
【００１４】
【図１】この発明の実施形態の靴べら機能付き靴の側面図である。
【図２】この発明の実施形態の靴べら機能付き靴の断面図で、靴に足が入る状態を示している。
【図３】この発明の実施形態の靴べら機能付き靴斜視図である。
【考案を実施するための形態】
【００１５】
この考案の実施の形態について図面を参照しながら詳細に説明する。なお、図中同一または相当部分には同一符号を付し、説明の重複を避けるためにその説明は繰返さない。
【００１６】
この実施形態に係る靴１は、図１〜図３に示すように、靴紐のない靴であって、履き口２から足を差し込むことによって足が固定され、そのまま着用することができる靴である。このような靴をスリッポンタイプの靴という。なお、この実施の形態では、左足用の靴を例に説明しているが、当然ながら右足用の靴にも適用されるものであり、その場合説明に用いた左右、内外の各部位の名称は適宜読み替えて用いるものである。
【００１７】
靴１は、靴底３と当該靴底３上に設けたアッパー４を有している。この実施の形態におけるアッパー４は、踝から下の部分の踵及び足先を覆うように形成されており、踵周囲を覆う踵部５と、この踵部５から連続して足首付近の左右を覆う外側壁６及び内側壁７に連続して足先部分を覆う甲被８を有している。
【００１８】
踵部５は、所謂月型といわれる板状の芯材を内包した踵の外周囲を覆う部分である。踵部５の外皮は、例えば、合成皮革により形成されており、前記月型及びクッション材等を内包し、柔軟な織り布をインナーとして内側に配置した積層構造を有している。この実施形態では、踵部５の上方に斜め後ろに延びる踵案内部５１が連続して設けられている。この踵案内部５１は、月型と同様に板状の芯材を内包し、踵案内部５１の外皮は、例えば、合成皮革により形成されており、前記芯材及びクッション材等を内包し、柔軟な織り布をインナーとして内側に配置した積層構造を有している。この踵部５と踵案内部５１とは、連続して設けられているので、踵部５と一体となり、デザイン性にも優れた靴べら機能を踵部５に持たせることができる。
【００１９】
この踵部５と踵案内部５１の芯材は、例えば、樹脂により一体で形成されている。踵案内部５１は、図２に示すように、斜め後に延び、靴べらの機能を有する。履き口２から足１０を差し込み、この踵案内部５１に足１０の踵１１が当接すると、靴べらの機能により、足１０が靴１内に簡単に入り込み、靴１を履くことができる。
【００２０】
外側壁６及び内側壁７は、外皮を合成皮革又は布等によるシートによって形成し、その内面に、必要に応じて柔軟な織り布又は不織布を貼り付ければ良い。
【００２１】
甲被８は、前記両側壁６、７と同様に外皮を合成皮革又は布等によるシートによって形成し、その内面に、必要に応じて柔軟な織り布又は不織布を貼り付ければ良い。また、この実施の形態における靴１は、靴の先端に先芯９が設けられている。
【００２２】
前記踵部５，両壁６、７及び甲被８の下端は、足裏形状の中底シート（図示せず）に取り付けられ、袋状の足入れ部を構成している。このように形成された袋状の足入れ部の下面に靴底３が成形又は貼り付けにより設けられ、靴１が形成されている。
【００２３】
この実施形態では、踵部５，両壁６、７及び甲被８により囲まれた履き口２の回りのトップライン２１には、足首へのあたりが良いように柔軟なモールが設けられている。
【００２４】
前述したように、足１０の爪先１２を履き口２から靴１の中へ入れ、爪先１２を靴１の先の方へ移動させると、この踵案内部５１に足１０の踵１１が当接する。踵案内部５１に踵１１が案内され、足１０が靴１の中にスムーズに差し入れることができる。
【符号の説明】
【００２５】
１    ：靴
２    ：口
３    ：靴底
４    ：アッパー
５    ：踵部
６    ：外側壁
７    ：内側壁
８    ：甲被
９    ：先芯
１０  ：足
１１  ：踵
１２  ：爪先
２１  ：トップライン
５１  ：踵案内部
【図１】
0003195071.tif 000003
【図２】
0003195071.tif 000004
【図３】
0003195071.tif 000005